(57)【特許請求の範囲】
【請求項１】
ガスバーナを備えた燃焼部に、前記ガスバーナから供給される燃料ガスの燃焼に必要な燃焼用酸素含有ガスを供給する送風ファンと、
前記燃焼部から発生する前記燃料ガスの保有する熱により、給湯水管内を流れる給水を加熱して湯水を発生する熱交換器とを備え、且つ、
要求される給湯量及び給湯温度に対応して、前記燃焼部に供給する燃料ガス供給量と前記燃料ガスの燃焼に必要な燃焼用酸素含有ガス供給量を決定する前記送風ファンの回転数
との関係であるインプット関係指標に基づいて、前記燃焼部に供給する燃料ガス供給量及び前記送風ファンの回転数を制御する燃焼制御部を備え、
通常時には外部交流電源から作動に必要な電力の全てを受電して給湯作動するガス熱源機において、
前記給湯水管内を流れる給水の水量が、前記給湯水管に備えられた水量サーボにより増減可能に構成され、
前記外部交流電源からの電力の供給が断たれた遮断状態において、限定された電力の供給が可能な補助電源から受電可能な補助電源受電手段と、前記補助電源受電手段から受電
している補助電源受電状態を検知する補助電源受電検知手段を備え、
前記補助電源受電状態において、前記燃焼制御部が、前記インプット関係指標を満たし、且つ前記送風ファンによる電力消費が少なくなるように設定した省電力インプット領域内で、前記燃焼部の燃焼を制御し、
前記燃焼制御部が、前記省電力インプット領域内で前記燃焼部の燃焼を制御する省電力モードにおいて、前記要求される給湯量及び給湯温度に対応して、前記インプット関係指標に基づいて制御する前記燃料ガス供給量及び前記送風ファンの回転数が前記省電力インプット領域の領域外の前記燃料ガス供給量及び前記送風ファンの回転数となり、前記要求される給湯量及び給湯温度を実現できない場合に、前記燃料ガス供給量及び前記送風ファンの回転数を、前記省電力インプット領域内における所定の前記燃料ガス供給量及び当該所定の燃料ガス供給量に対応する前記送風ファンの回転数とし、前記給湯水管内を流れる給水の水量を前記水量サーボにて増減させて、前記要求される給湯温度を実現するように構成されたガス熱源機。
【請求項２】
前記省電力インプット領域が、前記インプット関係指標において、電力消費が最低値である最低電力消費指標点から、所定の基準に基づいて設定される電力消費の上限値である
上限電力消費指標点までの範囲内の領域とされている請求項１記載のガス熱源機。
【請求項３】
前記省電力インプット領域が、前記インプット関係指標において、電力消費が最低値である最低電力消費指標点から、前記最低電力消費指標点より所定の許容消費電力量だけ高
い許容最高電力消費指標点までの範囲内の領域とされている請求項１記載のガス熱源機。
【請求項４】
前記燃焼制御部が、前記インプット関係指標において、電力消費が最低値である最低電
力消費指標点で、前記燃焼部の燃焼を制御する請求項１記載のガス熱源機。
【請求項５】
前記ガスバーナが、個々に燃料ガスの供給・供給遮断が可能な複数のバーナ部を備えるとともに、給湯量に応じて、燃料ガスを供給するバーナ部の個数を増加若しくは減少させて複数の燃焼段を実現可能に構成され、
各燃焼段において、前記インプット関係指標が設定され、
前記省電力インプット領域として、各燃焼段のインプット関係指標毎に省電力インプット領域が設定されている請求項１〜４の何れか一項記載のガス熱源機。
【請求項６】
前記ガスバーナが、個々に燃料ガスの供給・供給遮断が可能な複数のバーナ部を備えるとともに、給湯量に応じて、燃料ガスを供給するバーナ部の個数を増加若しくは減少させて複数の燃焼段を実現可能に構成され、
各燃焼段において、前記インプット関係指標が設定され、
前記燃焼制御部が、各燃焼段の前記インプット関係指標における、電力消費が最低値である最低電力消費指標点の何れかで、前記燃焼部の燃焼を制御する請求項４記載のガス熱
源機。
【発明の詳細な説明】
【技術分野】
【０００１】
本発明は、ガスバーナを備えた燃焼部に、前記ガスバーナから供給される燃料ガスの燃焼に必要な燃焼用酸素含有ガスを供給する送風ファンと、前記燃焼部から発生する前記燃料ガスの保有する熱により、給湯水管内を流れる給水を加熱して湯水を発生する熱交換器とを備え、前記燃焼部に供給する燃料ガス供給量と前記燃料ガスの燃焼に必要な燃焼用酸素含有ガス供給量を決定する前記送風ファン回転数との関係であるインプット関係指標に基づいて、要求される給湯量及び給湯温度に対応して、前記燃焼部に供給する燃料ガス供給量及び前記送風ファンの回転数とを制御する燃焼制御部を備え、通常時には外部交流電源から作動に必要な電力の全てを受電して給湯作動するガス熱源機に関する。
【背景技術】
【０００２】
ライフラインの安定性向上の観点から、ガス利用機器は、停電等の非常時には、乾電池や車のバッテリー等の非常電源により運転できることが望ましい。そこで、従来技術において、通常時には商用電源から、非常時には補助電源から、電力供給を受けて作動するガスコンロが発明されている（例えば特許文献１参照）。例えば特許文献１のガスコンロは、停電時には乾電池式の補助電源から電力の供給を受けて作動するように構成されている。
【先行技術文献】
【特許文献】
【０００３】
【特許文献１】特開２００８−８５３６号公報
【発明の概要】
【発明が解決しようとする課題】
【０００４】
しかし、特許文献１のように補助電源を乾電池とする構成は、消費電力が小さいコンロに対しては十分な電力を供給可能であるとしても、消費電力が大きいガス熱源機では、コンロに比べて電力消費が激しいことから、短時間しか使用できず不便である。そこで、商用電源からの電力供給が遮断され、容量が限定された補助電源から電力供給を受ける場合でも、長時間運転できるガス熱源機が求められている。
【０００５】
本発明は上記の課題に鑑みてなされたものであり、その目的は、商用電源からの電力供給が遮断され、容量が限定された補助電源から電力供給を受ける場合でも、長時間運転できるガス熱源機を提供する点にある。
【課題を解決するための手段】
【０００６】
上記目的を達成するための本発明に係るガス熱源機は、
ガスバーナを備えた燃焼部に、前記ガスバーナから供給される燃料ガスの燃焼に必要な燃焼用酸素含有ガスを供給する送風ファンと、
前記燃焼部から発生する前記燃料ガスの保有する熱により、給湯水管内を流れる給水を加熱して湯水を発生する熱交換器とを備え、且つ、
要求される給湯量及び給湯温度に対応して、前記燃焼部に供給する燃料ガス供給量と前記燃料ガスの燃焼に必要な燃焼用酸素含有ガス供給量を決定する前記送風ファンの回転数との関係であるインプット関係指標に基づいて、前記燃焼部に供給する燃料ガス供給量及び前記送風ファンの回転数を制御する燃焼制御部を備え、
通常時には外部交流電源から作動に必要な電力の全てを受電して給湯作動するガス熱源機において、
前記給湯水管内を流れる給水の水量が、前記給湯水管に備えられた水量サーボにより増減可能に構成され、
前記外部交流電源からの電力の供給が断たれた遮断状態において、限定された電力の供給が可能な補助電源から受電可能な補助電源受電手段と、前記補助電源受電手段から受電している補助電源受電状態を検知する補助電源受電検知手段を備え、
前記補助電源受電状態において、前記燃焼制御部が、前記インプット関係指標を満たし、且つ前記送風ファンによる電力消費が少なくなるように設定した省電力インプット領域内で、前記燃焼部の燃焼を制御し、
前記燃焼制御部が、前記省電力インプット領域内で前記燃焼部の燃焼を制御する省電力モードにおいて、前記要求される給湯量及び給湯温度に対応して、前記インプット関係指標に基づいて制御する前記燃料ガス供給量及び前記送風ファンの回転数が前記省電力インプット領域の領域外の前記燃料ガス供給量及び前記送風ファンの回転数となり、前記要求される給湯量及び給湯温度を実現できない場合に、前記燃料ガス供給量及び前記送風ファンの回転数を、前記省電力インプット領域内における所定の前記燃料ガス供給量及び当該所定の燃料ガス供給量に対応する前記送風ファンの回転数とし、前記給湯水管内を流れる給水の水量を前記水量サーボにて増減させて、前記要求される給湯温度を実現するように構成された点にある。
【０００７】
上記の特徴構成によれば、本発明に係るガス熱源機は、インプット関係指標に基づいて、要求される給湯量及び給湯温度に対応して、燃焼部に供給する燃料ガス供給量と、ガスバーナから供給される燃料ガスの燃焼に必要な燃焼用酸素含有ガス供給量を決定する送風ファンの回転数とを制御して、給湯水管内を流れる給水の加熱量を調整し、給湯量及び給湯温度を調整する。
ここで、本発明に係るガス熱源機は、通常時には外部交流電源から作動に必要な電力の全てを受電して給湯作動するが、外部交流電源からの電力の供給が断たれた遮断状態においては、補助電源受電手段により、限定された電力の供給が可能な補助電源から受電可能に構成されている。これにより、外部交流電源からの電力の供給が断たれる停電等の遮断状態においても、車のバッテリー等の補助電源からの電力の供給を受けて作動可能に構成されている。
【０００８】
本発明に係るガス熱源機は、補助電源受電検知手段により、補助電源受電手段から受電している補助電源受電状態を検知する。そして、補助電源受電状態であることを検知すると、インプット関係指標を満たし、且つ送風ファンによる電力消費が少ない省電力インプット領域内で、燃焼部の燃焼を制御するように構成されている。これにより、補助電源から電力供給を受ける補助電源受電状態では、送風ファンによる電力消費が少ない省電力インプット領域内で、燃焼部の燃焼を制御する。即ち、送風ファンの回転数の増大による消費電力の増加を避け、所定の電力消費の範囲内で、燃焼部の燃焼を制御する。
【０００９】
このようにして、本発明に係るガス熱源機は、商用電源からの電力供給が遮断され、容量が限定された補助電源から電力供給を受ける場合には、送風ファンによる消費電力を省電力インプット領域に抑えるように制御する。従って、商用電源からの電力供給が遮断され、容量が限定された補助電源から電力供給を受ける場合でも、長時間運転することが可能なガス熱源機を提供することができる。
また、上記の特徴構成によれば、消費電力を抑制する省電力モードでは加熱能力が制限されるため、要求される給湯量及び給湯温度を同時には実現できない場合に、加熱対象となる水量を調整して、給湯温度を優先して給湯を行う。即ち、上記特徴構成のガス熱源機によれば、消費できる電力量が制限され、加熱能力に限界のある省電力モードにおいても、所望の給湯温度で湯水を供給することができる。
【００１０】
本発明に係るガス熱源機の第２特徴構成は、前記第１特徴構成において、
前記省電力インプット領域が、前記インプット関係指標において、電力消費が最低値である最低電力消費指標点から、所定の基準に基づいて設定される電力消費の上限値である上限電力消費指標点までの範囲内の領域とされている点にある。
【００１１】
上記の特徴構成によれば、省電力インプット領域を、電力消費が最低値である最低電力消費指標点から、所定の基準に基づいて設定される電力消費の上限値である上限電力消費指標点までの範囲内の領域として設定する。これにより、使用者は、所定の基準に基づいて、電力消費の上限値を設定することができる。
例えば、所定の基準として、補助電源の供給電力量を設定することで、ガス熱源機の送風ファンで消費する電力量の上限値を、補助電源が供給する電力量に基づいて設定することができる。これにより、遮断状態におけるガス熱源機へのインプットである補助電源の供給電力量を基準とする、柔軟且つ適切な上限電力消費指標点の設定が可能となる。
【００１２】
本発明に係るガス熱源機の第３特徴構成は、前記第１特徴構成において、
前記省電力インプット領域が、前記インプット関係指標において、電力消費が最低値である最低電力消費指標点から、前記最低電力消費指標点より所定の許容消費電力量だけ高い許容最高電力消費指標点までの範囲内の領域とされている点にある。
【００１３】
上記の特徴構成によれば、省電力インプット領域を、電力消費が最低値である最低電力消費指標点から、前記最低電力消費指標点より所定の許容消費電力量だけ高い許容最高電力消費指標点までの範囲内の領域として、最低電力消費指標点を基点とする所定の許容範囲を持った領域として設定する。これにより、電力の消費を、最低電力消費指標点から所定の許容範囲内に収めることができる。
また、所定の許容範囲内では、通常時と同様にガス熱源機を使用できるため、使用者に省電力を過度に意識させることがない。従って、使用者が感じる不便を必要最小限に留めつつ、省電力を実現することができる。
なお、所定の許容範囲を規定する許容消費電力量は、割合や絶対量で設定するように構成できる。例えば、許容消費電力量を、最低電力消費指標点における消費電力量に対する割合で設定する構成としてもよいし、割合でなく絶対量としての消費電力量で設定する構成としてもよい。
【００１４】
本発明に係るガス熱源機の第４特徴構成は、前記第１特徴構成において、
前記燃焼制御部が、前記インプット関係指標において、電力消費が最低値である最低電力消費指標点で、前記燃焼部の燃焼を制御する点にある。
【００１５】
上記の特徴構成によれば、インプット関係指標により、省電力インプット領域を電力消費が最低値である最低電力消費指標点に設定する。これにより、電力の消費を最低限に抑えることができる。従って、限られた電力量の補助電源で、最大限に長時間運転することが可能なガス熱源機を提供することができる。
【００１６】
本発明に係るガス熱源機の第５特徴構成は、前記第１〜４特徴構成の何れかにおいて、
前記ガスバーナが、個々に燃料ガスの供給・供給遮断が可能は複数のバーナ部を備えるとともに、給湯量に応じて、燃料ガスを供給するバーナ部の個数を増加若しくは減少させて複数の燃焼段を実現可能に構成され、
各燃焼段において、前記インプット関係指標が設定され、
前記省電力インプット領域として、各燃焼段のインプット関係指標毎に省電力インプット領域が設定されている点にある。
【００１７】
上記の特徴構成によれば、ガスバーナが、個々に燃料ガスの供給・供給遮断が可能な複数のバーナ部を備えるとともに、給湯量に応じて、燃料ガスを供給するバーナ部の個数を増加若しくは減少させて複数の燃焼段を実現可能に構成されていることにより、給湯量に応じて加熱能力をバーナ部の個数倍に増加させることが可能なガス熱源機において、前記１〜４特徴構成で記した省電力制御を適用する。これにより、加熱能力が高く、所定の給湯温度のお湯を短時間で所定量供給することが可能な給湯能力の高いガス熱源機において、電力消費を抑制し、長時間運転を可能に構成することができる。
【００１８】
本発明に係るガス熱源機の第６特徴構成は、前記第４特徴構成において、
前記ガスバーナが、個々に燃料ガスの供給・供給遮断が可能な複数のバーナ部を備えるとともに、給湯量に応じて、燃料ガスを供給するバーナ部の個数を増加若しくは減少させて複数の燃焼段を実現可能に構成され、
各燃焼段において、前記インプット関係指標が設定され、
前記燃焼制御部が、各燃焼段の前記インプット関係指標における、電力消費が最低値である最低電力消費指標点の何れかで、前記燃焼部の燃焼を制御する点にある。
【００１９】
上記の特徴構成によれば、複数のバーナ部を備え、複数の燃焼段を実現可能なガス熱源機において、電力消費を、選択された各燃焼段における最低値とする。従って、複数の燃焼段を備えることによる加熱能力（ひいては給湯能力）の高さを保持しつつ、各燃焼段における電力消費を最低限に抑え、できる限り長時間の運転を可能とするガス熱源機を提供することができる。
また、出湯中に燃焼段数を変化させると必要な燃料ガスの供給量（ひいては加熱能力）が急激に変化する場合は、給湯栓を閉じるまでの間は燃焼段数を固定にして加熱能力の急激な変化を避け、湯温を安定させるように構成してもよい。
【図面の簡単な説明】
【００２２】
【図１】ガス熱源機の構成図
【図２】ガス熱源機本体の構成図
【図３】通常時（受電状態）のガス熱源機における電力供給の様子を示す図
【図４】非常時（遮断状態）のガス熱源機における電力供給の様子を示す図
【図５】通常時の燃料ガス供給量と送風ファン回転数の関係を示すグラフ図
【図６】省電力モードの実施例１を示すグラフ図
【図７】省電力モードの実施例１を説明するグラフ図
【図８】省電力モードの実施例２を示すグラフ図
【図９】省電力モードの実施例２の変形例を示すグラフ図
【図１０】省電力モードの実施例３を示すグラフ図
【発明を実施するための形態】
【００２３】
本発明に係るガス熱源機の一実施形態を図面に基づいて説明する。図１は、本発明に係るガス熱源機１の構成図である。
【００２４】
〔ガス熱源機の構成〕
図１に示すように、ガス熱源機１は、交流電流を供給する外部交流電源８に接続される熱源機本体２と、インバータ４を介して接続線６で熱源機本体２に接続されており、直流電流で作動する、熱源機本体２に作動を指令するためのリモコン装置３と、を備える。図１では、１００Ｖの電圧で交流電流を供給する外部交流電源８が熱源機本体２に接続されている。
【００２５】
リモコン装置３は、給湯水の目標温度を設定可能なコントローラとして作動する。図１に示すガス熱源機１では、リモコン装置３として、台所ａ、浴室ｂ、居間ｃの夫々に、台所用リモコン３ａ、浴室用リモコン３ｂ、床暖房用リモコン３ｃが設置され、接続線６（６ａ、６ｂ、６ｃ）を介して、熱源機本体２に接続されている。
【００２６】
ガス熱源機１は、直流電流を供給する補助電源を着脱自在に接続するための接続端子５を、外部に露出している機器であるリモコン装置３に備えている。図１では、台所ａ、浴室ｂ、居間ｃに設置されたリモコン装置３（台所用リモコン３ａ、浴室用リモコン３ｂ、床暖房用リモコン３ｃ）の夫々に接続端子５（５ａ、５ｂ、５ｃ）が備えられている。そして、補助電源として車のバッテリー９が、台所用リモコン３ａに備えられた接続端子５ａを通じて、使用者によりガス熱源機１に容易に接続可能に構成されている。
図１は、車のバッテリー９を実際に接続した状態を示しており、停電等の理由により、外部交流電源８から熱源機本体２への電力供給が断たれた状況では、補助電源である車のバッテリー９からの電力供給に頼ることとなる。
【００２７】
また、図１において、ガス熱源機１は、熱源機本体２内の機器の始動に伴う補助電源からの突入電流を緩和する緩和手段であるバイパスコンデンサ７を、接続端子５と熱源機本体２との間の接続線６に備えている。これにより、突入電流が大きい送風ファン等の熱源機本体内の機器の始動に伴い、電流の波形にいわゆる尖りやノイズ等の矩形を生じた場合でも、突入電流に起因するブレーカの切断や電源電圧の不安定化等の悪影響を抑え、安定した電力を供給することができる。
【００２８】
また、図１に示すように、ガス熱源機１は、ガスバーナ１３を備えた燃焼部１１に、ガスバーナ１３から供給される燃料ガスの燃焼に必要な燃焼用酸素含有ガスを供給する送風ファン１４と、燃焼部１１から発生する燃料ガスの保有する熱により、給湯水管内を流れる給水を加熱して湯水を発生する熱交換器１２とを備えている。そして、リモコン装置３から設定入力される要求される給湯量及び給湯温度に対応して、燃焼部１１に供給する燃料ガス供給量と燃料ガスの燃焼に必要な燃焼用酸素含有ガス供給量を決定する送風ファン１４の回転数との関係であるインプット関係指標（例えば後述する図５に実線で示すインプットラインに対応する指標）に基づいて、燃焼部１１に供給する燃料ガス供給量及び送風ファン１４の回転数を制御する燃焼制御部１０を備え、通常時には外部交流電源８から作動に必要な電力の全てを受電して給湯作動する（なお、燃料ガス供給量及び送風ファン回転数の制御の詳細については後述する）。
【００２９】
〔熱源機本体の構成〕
図２に熱源機本体２の構成を示す。図２に示す熱源機本体２は、燃焼部１１として、新たな湯水を供給するために、給水された水を加熱して湯水として供給する給湯系２Ｘの燃焼部１１Ｘと、高低温暖房及び追焚きのために、暖房タンク３１や浴槽４２に貯蔵された湯水を循環させ、加熱して還流させる循環系２Ｙの燃焼部１１Ｙとを備える、いわゆる２缶３水路方式の熱源機である。
【００３０】
〔給湯系〕
熱源機本体２は、給湯系２Ｘに、上流から供給される水を燃焼部１１Ｘで加熱し、湯水として下流の給湯水栓２５に供給する給湯水管２１と、給湯水管２１を通流する水を加熱する熱交換器１２Ｘ及びガスバーナ１３Ｘからなる燃焼部１１Ｘと、燃焼部１１Ｘに送風する送風ファン１４Ｘと、を備えている。図２では、給湯水栓２５として、台所ａの蛇口２５ａと浴室ｂのシャワー２５ｂとを備えている。また、ガスバーナ１３Ｘは、個々に燃料ガスの供給・遮断が可能な複数のバーナ部（図示省略）を備えるとともに、給湯量に応じて、燃料ガスを供給するバーナ部の個数を増加若しくは減少させて、燃料ガス供給量（インプット量）が段階的に異なる複数の燃焼段（燃焼状態）を実現可能に構成されている。
【００３１】
給湯系２Ｘでは、燃焼部１１Ｘをバイパスするバイパス管２３が、燃焼部１１Ｘの上流でバイパス管２３に通流させる水の流量を調整するミキシング弁２２を介して分流するように、且つ、燃焼部１１Ｘの下流で合流するように、給湯水管２１に接続されている。また、給湯水管２１とバイパス管２３との合流箇所の下流に、給湯量を調整する水量サーボ２４を備えている。また、給湯水栓２５の上流に、給湯水栓２５に供給される湯水の流量を計測する流量計２６ａ及び温度を計測する温度計２６ｂが設けられており、流量計２６ａ及び温度計２６ｂで測定された温度は、燃焼制御部１０に伝達される。
【００３２】
〔給湯系：加熱量の調整による給湯温度の調整〕
給湯系２Ｘでは、リモコン装置３で設定された給湯水の目標温度に基づいて、給湯水管２１を通流する湯水を燃焼部１１Ｘで加熱し、給湯水栓２５に給湯する。具体的には、燃焼制御部１０が、リモコン装置３で設定された目標温度及び流量計２６ａで計測される湯水の量、温度計２６ｂで計測される湯水の温度に基づいて、ガスバーナ１３Ｘへの燃料ガス供給量及び燃料ガス供給量に対応する燃焼用空気量（実際はファン回転数）を調整することで、燃焼部１１Ｘにおける加熱量を調整し、給湯水栓２５に供給される湯水の温度を調整する。
【００３３】
即ち、燃焼制御部１０は、温度計２６ｂで測定される給湯温度がリモコン装置３で設定された給湯水の目標温度に比べて低い場合は、給湯温度を上げるため、燃焼部１１Ｘにおける加熱量を増加させるべく、ガスバーナ１３Ｘへの燃料ガス供給量を増加させる。また、ガスバーナ１３Ｘへの燃料ガス供給量に対応するように送風ファン１４Ｘの回転数を制御する。
一方、温度計２６ｂで測定される給湯温度がリモコン装置３で設定された目標温度に比べて高い場合は、給湯温度を下げるため、燃焼部１１Ｘにおける加熱量を減少させるべく、ガスバーナ１３Ｘへの燃料ガス供給量を減少させる。また、ガスバーナ１３Ｘへの燃料ガス供給量の減少に対応するように送風ファン１４Ｘの回転数を制御する。
このように、燃焼制御部１０は、温度計２６ｂで測定される給湯温度と、リモコン装置３で設定された目標温度とに基づいて、ガスバーナ１３Ｘへの燃料ガス供給量及び送風ファン１４Ｘの回転数を制御して、給湯水栓２５に供給される湯水の給湯温度を調整する。
【００３４】
このような燃料ガス供給量と送風ファン１４Ｘの回転数の関係を図５に示す。図５は、ガスバーナ１３Ｘが複数（図示する場合は４）のバーナ部から構成されており、使用するバーナ部の数を変更することで、複数段のインプット調整が可能な例を示している。図５において、Ａで示す１段インプットラインが単一のバーナ部を使用するラインであり、Ｂで示す２段インプットラインが２つのバーナ部を使用するラインである。使用するバーナ部の数が増加するに従って、燃料ガス供給量を段階的に増加させることができる。
さらに、各段内で、使用するバーナ部に供給する燃料ガス供給量も所定の範囲内で調整することができる。
【００３５】
また、ガスバーナに供給する燃料ガス供給量に従って、バーナにおける燃焼を最適な状態に保つように、その供給量に対応した燃焼用空気の供給量（換言すると送風ファン１４Ｘの回転数）が予め決定されている。
これらが、図５に各実線で示すインプットラインである。
【００３６】
なお、詳細な説明は省略するが、複数の需要箇所に設置した夫々の給湯水栓２５（台所ａの蛇口２５ａ、浴室ｂのシャワー２５ｂ、等）において、上記した給湯系２Ｘから供給される給湯水と、上記で説明していない別の給水系から供給される水とを、例えば給湯系２Ｘの下流で混合可能に構成することで、夫々の給湯水栓２５毎に、同時に、且つ、異なる給湯温度及び異なる給湯水量で、湯水を使用可能に構成することができる。
【００３７】
〔給湯系：水量の調整による給湯温度の調整〕
燃焼制御部１０は、外部交流電源８からの電力供給が正常に行われている第１運転状態では、カラン等の調整により決定される給湯量に従って、リモコン装置３で設定される目標温度でその給湯量の湯を得られるように、図５に示されるインプットラインを選択し、燃料ガス供給量及び送風ファン１４Ｘの回転数を制御する。さらに、ミキシング弁２２の作動も制御する。
一方、外部交流電源８からの電力供給が断たれ、リモコン装置３を介して制限された電力量の直流電力しか得られない第２運転状態では、上記のガスバーナ１３Ｘへの燃料ガス供給量及び送風ファン１４Ｘの回転数、及びミキシング弁２２の作動を特定した省電力モードでガス熱源機１を運転する。省電力モードでは、水量サーボ２４或いは水量サーボ２４及びミキシング弁２２の作動を制御することで、給湯温度を優先した制御を行うことができる。
即ち、省電力モードにおいて、燃料ガス供給量及び送風ファン１４Ｘの回転数の調整による加熱能力の調整だけでは要求される給湯量及び給湯温度を同時には実現できない場合には、水量サーボ２４或いは水量サーボ２４及びミキシング弁２２の作動を制御し、給湯水管内を流れる水量を増減させて、給湯温度を優先した制御を行うことで、要求された給湯温度による給湯を実現できる。
【００３８】
具体的には、第２運転状態において、燃焼制御部１０は、温度計２６ｂで測定される給湯温度がリモコン装置３で設定された給湯水の目標温度に比べて低い場合は、水量サーボ２４或いは水量サーボ２４及びミキシング弁２２の作動を制御し、燃焼部１１Ｘに通流させる水量を減少させることで、燃焼部１１Ｘを通流する水の単位体積当たりの加熱量を増加させ、給湯水栓２５における湯水の給湯温度を上昇させることができる。
また、温度計２６ｂで測定される給湯温度がリモコン装置３で設定された給湯水の目標温度に比べて高い場合は、水量サーボ２４或いは水量サーボ２４及びミキシング弁２２の作動を制御し、燃焼部１１Ｘに通流させる水量を増加させることで、燃焼部１１Ｘを通流する水の単位体積当たりの加熱量を減少させ、給湯水栓２５における湯水の給湯温度を低下させることができる。
なお、上記の制御は、給湯温度を給湯量に優先する制御である。従って、給湯量については、必ずしも使用者の要求した給湯量を供給できるとは限らない。
【００３９】
〔循環系〕
循環系２Ｙは、暖房或いは追焚に使用される熱媒を貯蔵する暖房タンク３１と、暖房タンク３１に貯蔵された熱媒を送出する暖房循環ポンプ３２と、暖房循環ポンプ３２により暖房タンク３１から送出された熱媒を加熱し、暖房或いは追焚のための熱量を与える燃焼部１１Ｙと、暖房タンク３１と燃焼部１１Ｙとを接続する熱媒往管３３と、燃焼部１１Ｙで加熱された熱媒を高温暖房設備４１に供給する高温往管３４と、高温暖房設備４１で放熱し、温度の低下した熱媒を暖房タンク３１に戻す熱媒戻管３５とを備える。
このような構成により、循環系２Ｙでは、暖房タンク３１に貯蔵された熱媒を、燃焼部１１Ｙで加熱して高温の熱媒とし、高温暖房に利用することができる。即ち、暖房タンク３１に貯蔵された熱媒を、熱媒往管３３、燃焼部１１Ｙ、高温往管３４、高温暖房設備４１、熱媒戻管３５、暖房タンク３１、と循環させて、高温暖房に利用することができる。
なお、循環系の燃焼部１１Ｙも、給湯系の燃焼部１１Ｘと同様に、熱交換器１２Ｙ、ガスバーナ１３Ｙ、送風ファン１４Ｙとを備えて構成されている。高温暖房設備４１として、例えば、浴室乾燥暖房装置やファンコンベクター等が考えられる。
【００４０】
また、循環系２Ｙでは、低温暖房設備４３に熱媒を供給すべく、暖房タンク３１から送出された熱媒を低温暖房設備４３に供給する低温往管３６が、暖房タンク３１と燃焼部１１Ｙとの間で熱媒往管３３から分岐して、低温暖房設備４３に連接されている。そして、低温暖房設備４３で使用され、放熱により温度の低下した熱媒は、熱媒戻管３５を通流して暖房タンク３１に戻るように構成される。
このような構成により、循環系２Ｙでは、暖房タンク３１に貯蔵された熱媒が持つ熱量を、低温暖房に利用することができる。即ち、暖房タンク３１に貯蔵された熱媒を、熱媒往管３３、低温往管３６、低温暖房設備４３、熱媒戻管３５、暖房タンク３１と循環させて、低温暖房に利用することができる。
低温暖房設備４３として、例えば、床暖房装置やパネルラジエータ等が考えられる。
【００４１】
さらに、循環系２Ｙは、高温往管３４から分岐し、熱媒戻管３５に連接された高温バイパス管３７と、高温バイパス管３７を通流する熱媒の熱量により追焚される湯水を通流させる追焚循環管３８と、追焚循環管３８に湯水を循環させるための追焚循環ポンプ３９と、高温バイパス管３７を通流する熱媒の熱量により追焚循環管３８を循環する湯水を追焚するための追焚熱交換部４０とを備える。
このような構成により、循環系２Ｙでは、燃焼部１１Ｙで加熱され、高温となった熱媒の一部を追焚に利用することができる。また、追焚に利用し温度が低下した熱媒を、熱媒戻管３５を通じて暖房タンク３１に戻らせ、暖房或いは追焚のために再利用することができる。
【００４２】
〔電力供給の構成〕
ガス熱源機１は、外部交流電源から熱源機本体２及びインバータ４を経てリモコン装置３に電力が供給されて運転される第１運転状態と、接続端子５に接続された補助電源からリモコン装置３及び熱源機本体２に電力が供給されて運転される第２運転状態と、に切換可能に構成されている。
【００４３】
ガス熱源機１は、外部交流電源からの電力供給の有無に基づいて第１運転状態と第２運転状態とを切換える。具体的には、ガス熱源機１は、外部交流電源から電力の供給を受けることが可能な受電状態では第１運転状態で運転され、外部交流電源からの電力の供給が遮断された遮断状態では第２運転状態で運転される。即ち、ガス熱源機１は、受電状態（通常時）では外部交流電源８から、遮断状態（非常時）では補助電源であるバッテリー９から、電力の供給を受けて給湯作動する。このような構成により、ガス熱源機１は、状況に応じた好適な電源から電力供給を受けて運転される。
【００４４】
このような第１運転状態と第２運転状態との切換制御は、例えば、外部交流電源或いは補助電源からの電力供給の有無を計測する計測機器と、当該計測機器による計測結果を受信して、当該計測結果に応じて回路接続の切換制御を行う燃焼制御部で構成することができる。
即ち、ガス熱源機１は、外部交流電源８からの電力の供給が断たれた遮断状態において、限定された電力の供給が可能な補助電源であるバッテリー９から受電可能な補助電源受電手段と、補助電源受電手段から受電している補助電源受電状態を検知する補助電源受電検知手段を備えている。このような構成により、ガス熱源機１は、遮断状態においては、補助電源受電手段によりバッテリー９から電力の供給を受けるとともに、補助電源受電手段から受電している補助電源受電状態であることを補助電源受電検知手段により検知する。
図１では、リモコン装置３に備えられた接続端子５が補助電源受電手段に該当する。また、図示しない計測機器の計測結果から通電状態を検知して、補助電源受電手段から受電している補助電源受電状態を検知する燃焼制御部１０が、補助電源受電検知手段に該当する。
燃焼制御部１０は、図示しない計測機器の計測結果を受信し、外部交流電源或いは補助電源からの電力供給の有無（通電状態）を検知して、当該計測結果に応じて適切な回路接続の切換制御を行う。
以下では、第１運転状態、第２運転状態の夫々における電力供給の構成を説明する。
【００４５】
〔第１運転状態における電力供給の構成〕
図３に、交流電源である外部交流電源８から電力供給を受けて作動する第１運転状態（受電状態）における電力供給の構成を示す。
燃焼制御部１０は、計測機器（図示省略）の計測結果から、ガス熱源機１への電力の供給状態が外部交流電源８から電力の供給を受けることが可能な受電状態であることを検知すると、ガス熱源機１の運転状態を第１運転状態とし、外部交流電源８を熱源機本体２に接続する。これにより、熱源機本体２内の送風ファン等の機器は、交流電源である外部交流電源８から電力供給を受けて作動する。
【００４６】
また、第１運転状態において、リモコン装置３は、接続線６を通じて、熱源機本体２を介して外部交流電源８から電力供給を受ける。リモコン装置３は直流電流で作動するため、この場合、リモコン装置３は、インバータ４を介して接続線６により熱源機本体２に接続される。このような構成により、ガス熱源機１は、外部交流電源８から供給された交流電流を、インバータ４により直流電流に変換した上でリモコン装置３に供給することができる。これにより、ガス熱源機１は、交流電源である外部交流電源８からの電力供給を受けて、熱源機本体２及びリモコン装置３を作動させることができる。
【００４７】
〔第２運転状態における電力供給の構成〕
図４に、直流電源であるバッテリー９から電力供給を受けて作動する第２運転状態（遮断状態）における電力供給の構成を示す。
燃焼制御部１０は、計測機器（図示省略）の計測結果から、ガス熱源機１への電力の供給状態が外部交流電源８からの電力の供給が断たれた遮断状態であることを検知すると、ガス熱源機１の運転状態を第２運転状態とし、バッテリー９を、リモコン装置３が備える接続端子５に接続する。これにより、直流電流で作動するリモコン装置３は、直流電源であるバッテリー９から電力供給を受けて作動する。
このように、ガス熱源機１は、外部交流電源８からの電力の供給が断たれた遮断状態では、補助電源受電手段である接続端子５を通じて、直流電源であるバッテリー９から電力供給を受けて作動する。また、燃焼制御部１０は、図示しない計測機器の計測結果からこのような通電状態を検知して、補助電源受電手段を介して直流電源であるバッテリー９から受電している補助電源受電状態であることを検知して、ガス熱源機１が、第２運転状態として正常に作動していることを確認する。
【００４８】
また、第２運転状態において、熱源機本体２は、接続線６を通じて、リモコン装置３を介してバッテリー９から電力供給を受ける。ここで、熱源機本体２は、熱源機本体２内の機器の始動に伴う補助電源からの突入電流を緩和する緩和手段であるバイパスコンデンサ７を、接続端子５と熱源機本体２との間の接続線６に備えている。
このような構成により、ガス熱源機１は、バッテリー９から供給された直流電流について、送風ファン１４等の突入電流が大きい熱源機本体２内のアクチュエータによる影響をバイパスコンデンサ７で緩和して安定させた状態で、熱源機本体２に電力を供給することができる。これにより、ガス熱源機１は、直流電源であるバッテリー９からの電力供給を受けて、熱源機本体２及びリモコン装置３を作動させることができる。
【００４９】
〔第２運転状態における省電力モード〕
第２運転状態は外部交流電源８からの電力の供給が遮断された停電時等の遮断状態における運転状態であり、いわゆる非常時の運転状態である。このような第２運転状態では、ガス熱源機１は、電力量の限られた補助電源から受電する補助電源受電状態となるため、消費電力を抑えた省電力モードで作動するように構成されている。
【００５０】
即ち、ガス熱源機１は、第２運転状態ひいては補助電源受電状態において、燃焼制御部１０が、インプット関係指標を満たし、且つ送風ファン１４による電力消費が少ない省電力インプット領域内で、燃焼部１１の燃焼を制御するように構成されている。
なお、インプット関係指標とは、燃焼部１１に供給する燃料ガス供給量Ｇと燃料ガスの燃焼に必要な燃焼用酸素含有ガス供給量を決定する送風ファン回転数Ｎとの関係を示す指標であり、図５のようなグラフを表す数式或いは数値情報として燃焼制御部１０に記憶されている。
【００５１】
先に説明したように図５は、外部交流電源８から電力供給を受ける通常時において、燃焼部１１に供給する燃料ガス供給量Ｇと、燃料ガスの燃焼に必要な燃焼用酸素含有ガス供給量を決定する送風ファン回転数Ｎとの関係であるインプット関係指標を示すグラフである。図５に示される４本のグラフが、各燃焼段（図５の場合は、４段までの燃焼段）におけるインプットラインを示している。
通常の第１運転状態では、充分な電力供給を受けることが可能であるため、各インプットライン上の任意の点で運転することが可能となる、即ち、求められる給湯量の湯を目標温度として供給する。
これに対して、非常時である第２運転状態では、制限された電力供給しか受けることができないため、各インプットラインのうち、電力消費量が小さい制限された範囲で運転し、得ることが可能な電力量で実現できる範囲で給湯を行う。
【００５２】
例えば、通常時である第１運転状態では、使用者がリモコン装置３により目標温度をＴAに設定すると、燃焼制御部１０は、給湯量、給湯温度及び内部的に保持する対応表（図示省略）に基づいて、燃料ガス供給量をＧA、送風ファン回転数をＮAに決定する。
【００５３】
図５において、一の燃料ガス供給量Ｇに対して２つの送風ファン回転数Ｎを示すインプットラインが存在する範囲では、直近に採用していたインプットラインに基づいて、送風ファン回転数Ｎを決定する。
例えば、一の燃料ガス供給量Ｇに対して２つの送風ファン回転数Ｎを示すインプットラインが存在する範囲（ｉｉ）について、低温から高温への変更により範囲（ｉｉ）に属することとなった場合は、範囲（ｉ）において採用していたインプットラインＡに基づいて送風ファン回転数Ｎを決定する。そして、範囲（ｉｉｉ）の温度となった場合に、インプットラインＢに基づいて送風ファン回転数Ｎを決定する。
また、高温から低温への変更により範囲（ｉｉ）に属することとなった場合は、範囲（ｉｉｉ）において採用していたインプットラインＢに基づいて送風ファン回転数Ｎを決定する。そして、範囲（ｉ）の温度となった場合に、インプットラインＡに基づいて送風ファン回転数Ｎを決定する。
【００５４】
一方、停電時等のいわゆる非常時である第２運転状態では、ガス熱源機１は消費電力を抑える省電力モードで作動し、送風ファン回転数Ｎを抑えるように制御される。送風ファン回転数Ｎは燃焼部１１における消費電力量への影響が大きいことから、送風ファン回転数Ｎを抑えることで、ガス熱源機１において、省電力モードにおける消費電力量を抑えることができる。
省電力モードにおける送風ファン回転数Ｎは、以下の実施例で示すように、様々な基準に基づいて抑制することが考えられる。
【００５５】
〔省電力モードの実施例１：所定の回転数以下〕
図６は、省電力モードにおける送風ファン回転数Ｎの設定の一実施例として、送風ファン回転数Ｎを上限値Ｎｅ以下に抑える範囲を省電力インプット領域として設定した場合の燃料ガス供給量Ｇと送風ファン回転数Ｎの関係を示すグラフ図である。
ここで、送風ファン回転数Ｎを上限値Ｎｅ以下に抑える範囲では、送風ファン回転数がＮｅの場合の電力消費量が電力消費の上限値となることから、図６は、省電力インプット領域が、インプット関係指標において、電力消費が最低値である最低電力消費指標点から、所定の基準に基づいて設定される電力消費の上限値である上限電力消費指標点までの範囲内の領域とされている場合の燃料ガス供給量Ｇ及び送風ファン回転数Ｎの設定を示すグラフ図と言える。この場合、送風ファン回転数の上限値Ｎｅが「所定の基準」であり、送風ファン回転数がＮｅの場合の電力消費量が「所定の基準に基づいて設定される電力消費の上限値」に該当する。
このように設定することで、省電力モードにおける送風ファン１４における電力消費を、所定の基準に基づいて設定される電力消費の上限値である上限電力消費指標点までの範囲内に抑えることができる。
【００５６】
省電力インプット領域をこのように設定した場合、燃焼制御部１０は、燃料ガス供給量Ｇ及び送風ファン回転数Ｎを、インプットラインのｇ１、ｇ２、ｇ３、ｇ４上の点で設定する。例えば、図６で示される省電力モードでは、燃焼制御部１０は、燃焼段が２段の場合に、送風ファン回転数ＮがＮｅ以下となる省電力インプット領域内の燃料ガス供給量ＧB、送風ファン回転数ＮBに設定することができる。
【００５７】
一方、図６で示される省電力モードによれば、燃料ガス供給量Ｇ及び送風ファン回転数Ｎを、送風ファン回転数ＮがＮｅを超える省電力インプット領域外の燃料ガス供給量ＧC
、送風ファン回転数ＮCに設定することはできない。
このように、燃料ガス供給量Ｇ及び送風ファン回転数Ｎをインプットラインのｇ１、ｇ２、ｇ３、ｇ４上の点に限定すると、取り得る燃料ガス供給量Ｇが不連続となる。従って、図７における燃料ガス供給量ＧCのように、インプットライン上にない燃料ガス供給量
Ｇを要する場合は、例えば、当該燃料ガス供給量Ｇに近いインプットラインのうち、燃料ガス供給量Ｇが大きい側のインプットライン（例えば図７における燃料ガス供給量ＧCに
対するインプットラインｇ３）上の最小の燃料ガス供給量（例えば図７における燃料ガス供給量ＧCに対する燃料ガス供給量ＧC1）を燃料ガス供給量Ｇとし、送風ファン回転数Ｎ
を当該燃料ガス供給量ＧC1に対応する送風ファン回転数ＮC1に設定する。そして、これに加えて、先述した水量サーボ２４或いは水量サーボ２４及びミキシング弁２２の作動制御による水量の調整を行うことで、消費電力量を所定の範囲内に抑えつつ、所望の給湯温度に制御するように、燃焼制御部１０及びガス熱源機１を構成する。
或いは、当該燃料ガス供給量Ｇに近いインプットラインのうち、燃料ガス供給量Ｇが小さい側のインプットライン（例えば図７における燃料ガス供給量ＧCに対するインプット
ラインｇ２）上の最大の燃料ガス供給量（例えば図７における燃料ガス供給量ＧCに対す
る燃料ガス供給量ＧC2）を燃料ガス供給量Ｇとし、送風ファン回転数Ｎを当該燃料ガス供給量ＧC2に対応する送風ファン回転数ＮC2に設定する。そして、これに加えて、先述した水量の調整を行うことで、所望の給湯温度に制御するように、燃焼制御部１０及びガス熱源機１を構成する。
なお、上記では簡単のため、燃料ガス供給量ＧCに代えてインプットラインｇ３上の最
小の燃料ガス供給量ＧC1或いはインプットラインｇ２上の最大の燃料ガス供給量ＧC2を設定する構成を説明したが、これらの設定は例示に過ぎず、他の適切な値を設定する構成としてもよい。
【００５８】
また、上記では、省電力インプット領域を送風ファン回転数Ｎの上限値Ｎｅに基づいて設定する構成としたが、送風ファン回転数Ｎに代えて、第２運転状態において得ることが可能な電力量（例えば補助電源から供給される電力量）を基準として、電力消費の上限値である上限電力消費指標点を、当該基準に基づいて設定する（例えば補助電源から供給される電力量の９割を上限電力消費指標点とする等）構成としてもよい。
このように、省電力インプット領域の上限を、第２運転状態において得ることが可能な電力量に基づいて設定する構成とすることで、ガス熱源機の送風ファンで消費する電力量を、第２運転状態において得ることが可能な電力量に対する所定の範囲に収めることが容易となる。
【００５９】
〔省電力モードの実施例２：最低点から許容範囲〕
図８は、省電力モードにおける送風ファン回転数Ｎの設定の他の実施例として、各燃焼段のインプットラインｇ１、ｇ２、ｇ３、ｇ４における送風ファン回転数Ｎの最小値から各燃焼段毎の所定の許容範囲α内を、省電力インプット領域として設定したグラフ図である。
即ち、図８は、ガスバーナが、個々に燃料ガスの供給・供給遮断が可能な複数のバーナ部を備えるとともに、給湯量に応じて、燃料ガスを供給するバーナ部の個数を増加若しくは減少させて複数の燃焼段を実現可能に構成され、各燃焼段において、インプット関係指標が設定され、省電力インプット領域として、各燃焼段のインプット関係指標毎に省電力インプット領域が設定されている場合の燃料ガス供給量Ｇ及び送風ファン回転数Ｎの設定を示すグラフ図である。図８の各燃焼段のインプットラインｇ１、ｇ２、ｇ３、ｇ４における送風ファン回転数Ｎの最小値から各燃焼段毎の所定の許容範囲α内が、各燃焼段のインプット関係指標毎に設定された「省電力インプット領域」に該当する。許容範囲αは、例えば、消費電力量（許容消費電力量）や割合（例えば「送風ファン回転数Ｎの最小値の２割」）として設定することができる。
このように設定することで、省電力モードにおける送風ファン１４における消費電力量を、所定の範囲内に抑えることができる。
【００６０】
なお、上記では省電力インプット領域を各燃焼段に設定する構成を例示したが、省電力インプット領域は、必ずしも各燃焼段に設定する必要はない。別実施形態として、燃焼段に関わりなく、省電力インプット領域が、インプット関係指標において、電力消費が最低値である最低電力消費指標点から、最低電力消費指標点より所定の許容範囲分だけ高い最高電力消費指標点までの範囲内の領域として設定される構成としてもよい。
例えば図９では、インプットラインｇ３の最低電力消費指標点が、各燃焼段のインプットラインｇ１、ｇ２、ｇ３、ｇ４の全ての中で、電力消費が最低値である最低電力消費指標点に該当するので、図９に示すように、燃焼段に関わりなく、インプットラインｇ３の最低電力消費指標点Ｎｂから、最低電力消費指標点Ｎｂより所定の許容範囲αの分だけ消費電力量が高い最高電力消費指標点Ｎｔまでの範囲内の領域を、省電力インプット領域として設定する構成としてもよい。即ち、省電力インプット領域が、インプット関係指標において、電力消費が最低値である最低電力消費指標点Ｎｂから、最低電力消費指標点Ｎｂより所定の許容範囲αの分だけ消費電力量が高い最高電力消費指標点Ｎｔまでの範囲内の領域とされる構成としてもよい。
【００６１】
〔省電力モードの実施例３：最低点〕
図１０は、省電力モードにおける送風ファン回転数Ｎの設定の他の実施例として、送風ファン回転数Ｎを、各燃焼段のインプットラインｇ１、ｇ２、ｇ３、ｇ４において、送風ファン回転数が最小値となる点（燃料ガス供給量がＧ1、Ｇ2、Ｇ3、Ｇ4である点）に設定したグラフ図である。
即ち、図１０は、ガスバーナが、個々に燃料ガスの供給・供給遮断が可能は複数のバーナ部を備えるとともに、給湯量に応じて、燃料ガスを供給するバーナ部の個数を増加若しくは減少させて複数の燃焼段を実現可能に構成され、各燃焼段において、インプット関係指標が設定され、燃焼制御部が、各燃焼段のインプット関係指標における、電力消費が最低値である最低電力消費指標点の何れかで、燃焼部の燃焼を制御する場合の燃料ガス供給量Ｇ及び送風ファン回転数Ｎの設定を示すグラフ図である。図１０の各燃焼段のインプットラインにおける送風ファン回転数Ｎの最小値に対応する点が、「各燃焼段のインプット関係指標における、電力消費が最低値である最低電力消費指標点」に該当する。
【００６２】
なお、省電力インプット領域をこのように設定した場合、上記省電力モードの実施例２と同様に、取り得る燃料ガス供給量Ｇが不連続となる。従って、インプットライン上にない燃料ガス供給量Ｇが要求された場合は、実施例２と同様に、例えば、通常時のインプットラインにおける最小の送風ファン回転数に対応する燃料ガス供給量を燃料ガス供給量として設定し、これに加えて、先述した水量サーボ２４或いは水量サーボ２４及びミキシング弁２２の作動制御による水量の調整を行うことで、消費電力を抑えつつ、所望の給湯温度に制御する構成を実現できる。
なお、出湯中に燃焼段数を変化させると必要な燃料ガスの供給量（ひいては加熱能力）が急激に変化する場合は、給湯栓を閉じるまでの間は燃焼段数を固定にして加熱能力の急激な変化を避け、湯温を安定させるように構成してもよい。例えば、図１０において、燃焼段数を２段から３段に変化させた場合には、Ｇ2とＧ3とで加熱能力に差が存在する。従って、湯温の安定を優先する場合は、給湯栓を閉じるまでの間は、燃焼段数を２段から３段（或いは３段から２段）には変化させず、燃焼段数を２段（或いは３段）で固定して、加熱能力の急激な変化を避けるように構成してもよい。
又は、加熱能力の変化の大きさに基づいて、燃焼段数の変化の可否を制御してもよい。例えば、図１０において、燃焼段数を２段から３段に変化させた場合のＧ2とＧ3との加熱能力の差は、燃焼段数を１段から２段に変化させた場合のＧ1とＧ2の加熱能力の差に比べて大きい。このような場合に、加熱能力の変化の大きさに基づいて、加熱能力の変化が比較的小さい燃焼段数１段から２段（或いは２段から１段）への変化は認めるものの、加熱能力の変化が大きい燃焼段数２段から３段（或いは３段から２段）への変化は認めないように構成してもよい。
【００６３】
また、上記では省電力インプット領域を各燃焼段に設定する構成を例示したが、省電力インプット領域は、必ずしも各燃焼段に設定する必要はない。即ち、燃焼段に関わりなく、インプット関係指標において電力消費が最低値である最低電力消費指標点（図１０では燃料ガス供給量がＧ3の電力消費指標点）で、燃焼部の燃焼を制御する構成としてもよい。
【００６４】
〔第２運転状態における容量切れの報知〕
第２運転状態において、補助電源であるバッテリー９からの供給電圧が所定値以下に低下した場合は、燃焼制御部１０は、リモコン装置３に警告表示を行なうとともに、ガスバーナ１３を停止し、水量サーボ２４により給湯水量を制限するように作動を制御する。このように、ガス熱源機１は、リモコン装置３への警告表示と水量サーボ２４による給湯量制限により、使用者にバッテリー９の容量切れを報知する。
【００６５】
〔別実施形態〕
（１）上記実施形態では、台所用リモコン３ａ、浴室用リモコン３ｂ、床暖房用リモコン３ｃとして、台所ａ、浴室ｂ、居間ｃの夫々にリモコン装置３が設置され、複数のリモコン装置３が熱源機本体２に接続される構成を例示したが、当該構成は例示に過ぎない。別実施形態として、例えば、リモコン装置３は１つだけでもよく、台所ａ、浴室ｂ、居間ｃの何れかにのみ設置される構成としてもよい。また、リモコン装置３は、台所ａ、浴室ｂ、居間ｃ以外の場所に設置されていてもよく、４台以上のリモコン装置３が熱源機本体に接続される構成としてもよい。
【００６６】
（２）上記実施形態では、燃料ガス供給量Ｇを、使用者が設定した目標温度と、制御部が内部的に保持される対応表とに基づいて決定する構成を例示したが、当該構成は例示に過ぎない。別実施形態として、目標温度と所定の数式とに基づいて決定する構成としてもよい。或いは、制御部が、使用者が設定した目標温度と、給湯水栓の上流に設けられた温度計で計測される給湯温度とを比較して、燃料ガス供給量Ｇを増減させる構成としてもよい。
【００６７】
（３）上記実施形態では、計測機器の計測結果（外部交流電源からの電力供給の有無）に基づいて、制御部が第１運転状態と第２運転状態とを切換える構成を例示したが、当該構成は例示に過ぎない。別実施形態として、制御部による切換制御によることなく、或いは、制御部による切換制御と並行して、外部からの切換指令に基づいて第１運転状態と第２運転状態との間で運転状態を切換える切換手段を備える構成としてもよい。
切換手段は、例えばリモコン装置３に電源切換スイッチを備え、当該電源切換スイッチの切換えに基づいて、第１運転状態と第２運転状態とを切換える構成としてもよい。或いは、リモコン装置３とは別に、電源を切換える電源切換スイッチをガス熱源機に備え、当該電源切換スイッチの切換えにより、第１運転状態と第２運転状態とを切換える構成としてもよい。
このような構成により、外部交流電源からの電力供給状態に依ることなく、或いは、外部交流電源からの電力供給状態に基づく電源の切換制御と並行して、使用者が切換手段から切換を指令することで、運転状態（電源）を柔軟に切換えることが可能なガス熱源機１を提供することができる。
【００６８】
（４）上記実施形態では、省電力モードにおいて、送風ファン回転数Ｎを抑えることで消費電力を抑える構成を示したが、別実施形態として、送風ファン回転数Ｎの抑制による消費電力の抑制に加え、リモコン装置３の表示を限定したり、リモコン装置３の輝度を落とすことで消費電力を抑える構成としてもよい。また、これらを組合せる構成としてもよい。さらに、これらによる消費電力量の抑制が、補助電源（上記実施形態ではバッテリー９）からの供給電力量に基づいて、所定量の消費電力量を抑制できるように、適宜組合せて制御される構成としてもよい。
【００６９】
（５）上記実施形態では、第２運転状態において、補助電源からの供給電圧が所定値以下に低下した場合には、リモコン装置３への警告表示と水量サーボ２４による給湯水量制限により使用者にバッテリー９の容量切れを報知する構成を例示したが、当該構成は例示に過ぎない。別実施形態として、リモコン装置３への警告表示、水量サーボ２４による給湯水量制限、の何れか一方により使用者に報知する構成としてもよい。
【００７０】
（６）上記実施形態では、送風ファン回転数Ｎを、各燃焼段のインプットラインｇ１、ｇ２、ｇ３、ｇ４において、送風ファン回転数が最小値となる点（燃料ガス供給量がＧ1、Ｇ2、Ｇ3、Ｇ4である点）に設定する実施例３において、給湯栓を閉じるまでの間は燃焼段数を固定にして加熱能力の急激な変化を避け、湯温を安定させる構成に言及したが、当該構成は一例に過ぎず、複数の燃焼段を実現可能なガスバーナを備える、他の構成のガス熱源機に対しても適用可能である。
例えば、送風ファン回転数Ｎを上限値Ｎｅ以下に抑える範囲を省電力インプット領域として設定する実施例１や、各燃焼段のインプットラインｇ１、ｇ２、ｇ３、ｇ４における送風ファン回転数Ｎの最小値から各燃焼段毎の所定の許容範囲α内を省電力インプット領域として設定する実施例２に対しても、当該構成を適用することができる。
【符号の説明】
【００７１】
１    ガス熱源機
２    熱源機本体
５    接続端子（補助電源受電手段）
８    外部交流電源
９    補助電源（バッテリー）
１０  燃焼制御部（補助電源受電検知手段）
１１  燃焼部
１２、１２Ｘ、１２Ｙ  熱交換器
１３、１３Ｘ、１３Ｙ  ガスバーナ
１４、１４Ｘ、１４Ｙ  送風ファン
【図１】
0005886574.tif 000002
【図２】
0005886574.tif 000003
【図３】
0005886574.tif 000004
【図４】
0005886574.tif 000005
【図５】
0005886574.tif 000006
【図６】
0005886574.tif 000007
【図７】
0005886574.tif 000008
【図８】
0005886574.tif 000009
【図９】
0005886574.tif 000010
【図１０】
0005886574.tif 000011